(57)【要約】【課題】空結束が行なわれた場合に、テープ片を容易に取り除くことを可能にし、かつ安易な構造でそれを行うことができる自動テープ掛け機を提供する。【解決手段】テープ引戻し手段９２によりテープＴの後端側を引戻す場合に、この引戻し長さを検出手段により検出し、その検出結果が予め設定された長さよりも長い場合に、テープＴの空結束が行なわれることを判断し、空結束が行なわれた場合には、ヒータ３６への通電を開始せず、かつスライドテーブル３４を後退限で停止させるようにした。【選択図】図２
2007284076.tif 000002
【特許請求の範囲】
【請求項１】
テープの先端部をテープ案内アーチに供給した後、スライドテーブルの下方に直線状に並べられた右押え部材、左押え部材および中押え部材を、カムシャフトの回転により所定のタイミングで前記スライドテーブルに向かって接近あるいは離反させる工程の中で、前記右押え部材によりテープ先端部をクランプし、この状態からテープ引戻し手段によりテープの後端側を引戻し、この引き戻されたテープを前記左押え部材により引締め状態に保持し、さらに前記中押え部材に取付けられたカッターによりテープをカットすると同時に前記中押え部材上部に取付けられたヒータで前記テープが重ね合わされている部分を下方から溶融と同時に接着し、その後、所定のタイミングで前記スライドテーブルを後退させることでテープ溶着部を開放する自動テープ掛け機において、
前記テープ引戻し手段によりテープの後端側を引戻す場合に、この引戻し量を検出手段により検出し、その検出結果が予め設定された長さ以上である場合に空結束が行なわれたと判断し、この判断信号に基いて前記ヒータへの通電を開始しないとともに、所定のタイミングで前記カムシャフトの駆動を停止することにより前記スライドテーブルを後退限で停止させるようにしたことを特徴とする自動テープ掛け機。
【発明の詳細な説明】
【技術分野】
【０００１】
本発明は、食品、薬品、文具、あるいは紙幣などを束ねるのに好適な自動テープ掛け機に関するもので、詳しくは、いわゆる空結束が行なわれてしまった場合に、スライドテーブルに直接巻き付いてしまうテープを容易に取り除くことができる自動テープ掛け機に関するものである。
【背景技術】
【０００２】
例えば、ニンジンやキュウリなどを始めとする小型野菜、あるいは袋に分包された薬剤、ハンバーグなどの袋入りレトルト食品、さらには封筒などの文具を、強く締付けない状態で複数個を一つに纏める必要が生じている。このような場合、数十センチ幅のテープ又はクラフト紙が用いられている。
【０００３】
例えば、図５に示した特許文献１の自動テープ掛け機では、被梱包物が載置される本体１１の上面テーブル１５の内方に、センサ２２が設けられており、このセンサ２２により、本体１１上に被梱包物がセットされているかいないかが識別されている。
【０００４】
このようにセンサ２２により物品の有無を識別する自動テープ掛け機では、センサ２２が物体を感知しない限り作動しない一方で、物品が載置されていなくても作業者の手などをセンサ２２が検知してしまうと、起動を開始してしまうことになる。
【０００５】
そのため、動作が始まってからテープＴを溶着するまでの間、そのセンサ２２により常に物品の監視を続けておくとともに、仮に物品が本体１１から落下して物品の無いことを作動の途中で検知した場合には、テープを加熱するヒータへの通電を停止することが行なわれている。
【０００６】
このようにして図５に示した自動テープ掛け機では、空結束が生じた場合のスライドテーブル（受け材１９）へのテープの巻き付けを防止している。
一方、被梱包物が存在しないにもかかわらず、内蔵された引き戻し引締め手段により引締めが行なわれると、結果としてスライドテーブル１９にテープが巻きついてしまう、この場合には、巻きついたテープをハサミなどで切り取らなければならなかった。
【０００７】
しかしながら、このテープはスライドテーブル１９に緊密に巻きついているため、はさみの先が入りにくく、切り取り作業が手間であるとともに、時間的なロスが生じるという問題があった。
【０００８】
さらに、従来の自動テープ掛け機では、最初にスタートスイッチ１６を投入した時点でヒータへの通電が開始されていたため、後に空結束を検知しヒータへの通電を停止したとしても、その段階では既にヒータの温度は上昇しているため、テープを溶着してしまいスライドテーブルにテープが巻き付いてしまうという問題があった。
【０００９】
また、テープが溶着されずスライドテーブルへのテープ巻き付きが生じなかった場合であっても、空結束により生じたテープ片がスライドテーブル１９の移動経路内に留まっているため、一度後退位置に移動したスライドテーブル１９が元の位置に戻る際、そのテープ片を挟み込んでしまい、スライドテーブルへのテープ巻き付きが防止できたとしても、空結束により生じたテープ片を取り除く手間がかかるという問題があった。
【特許文献１】特開２００１−２０６３０８号公報
【発明の開示】
【発明が解決しようとする課題】
【００１０】
本発明はこのような実情に鑑み，いわゆる空結束が生じた場合にテープのスライドテーブルへの巻きつきを確実に防止し、しかも安易な構造でそれを行うことができるとともに、空結束により生じたテープ片を容易に取り除ける自動テープ掛け機を提供することを目的としている。
【課題を解決するための手段】
【００１１】
上記目的を達成するための本発明に係る自動テープ掛け機は、
テープの先端部をテープ案内アーチに供給した後、スライドテーブルの下方に直線状に並べられた右押え部材、左押え部材および中押え部材を、カムシャフトの回転により所定のタイミングで前記スライドテーブルに向かって接近あるいは離反させる工程の中で、前記右押え部材によりテープ先端部をクランプし、この状態からテープ引戻し手段によりテープの後端側を引戻し、この引き戻されたテープを前記左押え部材により引締め状態に保持し、さらに前記中押え部材に取付けられたカッターによりテープをカットすると同時に前記中押え部材上部に取付けられたヒータで前記テープが重ね合わされている部分を下方から溶融と同時に接着し、その後、所定のタイミングで前記スライドテーブルを後退させることでテープ溶着部を開放する自動テープ掛け機において、
前記テープ引戻し手段によりテープの後端側を引戻す場合に、この引戻し量を検出手段により検出し、その検出結果が予め設定された長さ以上である場合に空結束が行なわれたと判断し、この判断信号に基いて前記ヒータへの通電を開始しないとともに、所定のタイミングで前記カムシャフトの駆動を停止することにより前記スライドテーブルを後退限で停止させるようにしたことを特徴としている。
【００１２】
係る構成による本発明によれば、ヒータへの通電がスタートスイッチを投入した時点ではなく、テープの引き戻しが完了した段階での信号に基いているので、ヒータが常時高温にされるわけではない。したがって、空結束が生じた場合にはヒータが高温になることがないためテープの溶着が生じることはない。
さらに、空結束が生じた場合に、スライドテーブルは後退限で停止されるので、空結束により生じたテープ片をスライドテーブルとスライドテーブル受け部材との間で挟み込んでしまうこともない。
【発明の効果】
【００１３】
本発明に係る自動テープ掛け機では、テープの引き戻しが完了した段階で、空結束が生じたか、あるいは正しく引き戻されたかが識別される。そして、空結束であると識別された場合には、ヒータへの通電が開始されない。よって、その後ヒータの押圧が行なわれたとしても、テープが溶着されることがない。また、スライドテーブルは、後退限で停止されたままとなるので、空結束により生じたテープ片をスライドテーブルとスライドテーブル受け部材との間で挟み込んでしまうこともない。
【００１４】
さらに、本発明では、別部材が全く不要であり、既存のままでよいので安価に構成できる。
【発明を実施するための最良の形態】
【００１５】
以下に、図面を参照しながら本発明の一実施例について説明する。
図１は本発明の一実施例による自動テープ掛け機を示したものである。
この自動テープ掛け機７０では、本体７２の上部に略コ字状のテープ案内アーチ７４が備えられており、このテープ案内アーチ７４内には、本体７２上にループを描く一連のテープ通路７６が形成されている。
【００１６】
さらに、テープ案内アーチ７４の上部には、テープリール７８が設置されている。
なお、本実施例では、テープリール７８をテープ案内アーチ７４上部に設置したが、本発明は、これに限定されず、テープリール７８を、本体７２の内側に設置することもできる。
一方、本体７２内には、仕切り板７５ａ、７５ｂによりバックプールボックス８０が画成されている。
【００１７】
このバックプールボックス８０は、テープ案内アーチ７４に供給されその後テープ案内アーチ７４から引き戻されたテープＴが一時的に収容される。
さらに、本体７２の上面に設けられた水平方向（紙面に対して直角な方向）に移動可能なスライドテーブル３４の下部近傍に、コントロール部８３が構成されている。このコントロール部８３では、図２に示したように、ガイドローラ９０とスライドテーブル３４との間に、正逆転駆動ローラ９４とタッチローラ８８とから構成されるテープ供給・引き戻し手段９２が構成されている。
【００１８】
テープ供給・引き戻し手段９２は、正逆転駆動ローラ９４を正転駆動させれば、テープＴを案内アーチ７４側に送り出すことができ、逆に正逆転駆動ローラ９４を逆転駆動させれば、テープＴをバックプールボックス８０側に引戻すことができる。
【００１９】
スライドテーブル３４の下方には、テープＴの先端部のクランプ、溶着、切断などの動作をカムの働きにより行う右押え部材２、左押え部材４および中押え部材６が直線的に並べられている。これら３部材は、図３に示したシャフト４１の回転動作に伴って所定のタイミングで上下動される。
【００２０】
本実施例の自動テープ掛け機では、テープ供給・引き戻し手段９２によりテープＴがテープ案内アーチ７４側に供給された後、どれだけの長さが引き戻されたかが、図示しない検出手段により検知されている。
【００２１】
ここで、テープＴがどれだけの長さ引戻されたかを検知するには、例えば、テープＴの先端部が図２に示したように、テープ案内アーチ７４をループ状に周回してストッパ６１に当接して、リミットスイッチをＯＮにしてから、テープ供給・引戻し手段９２のタッチローラ８８がどれだけ逆方向に回転したかを検知すれば良い。
【００２２】
このようにタッチローラ８８の回転数を検知して長さに換算すれば、テープＴの引戻し長さを確認することができ、これにより、通常の引戻しが行なわれたか、あるいは空結束が行なわれたかを判断することができる。
【００２３】
ここで、引き戻し長さが、予め設定された長さ、すなわち、テープ掛けが可能な最小被梱包物に対応する引き戻し長さよりも、実際に引き戻された長さが長い場合に、テープの空結束が行われていると判断される。
【００２４】
そして、本実施例では、空結束が行なわれたことが検出された場合には、その信号がコントロール部８３を制御している制御装置に出力される。そして、この空結束が検出された場合には、ヒータ３６への通電が開始されない。よって、ヒータ３６は低温のままである。一方、引き戻し長さが所定長さ以下である場合には、被梱包物が存在する状態での正しい引き戻しが行なわれたと判断され、その判断信号に基いてヒータ３６へ通電が開始される。
【００２５】
そして、通電が開始されるとともに、図４に示したように、左押え部材４が上昇してテープＴを押え、これによりテープＴの引締め状態を保持した後、下方の中押え部材６が上
昇してカッター７でテープＴをカットすると同時に中押え部材６上部に取付けられたヒータ３６でテープＴが重ね合わされている部分を下方から溶融と同時に接着する。
【００２６】
本実施例では、空結束の信号が検出された場合には、ヒータ３６への通電が開始されないので、ヒータ３６が加熱されることはない。よって、中押え部材６が上昇して、ヒータ３６を上方に押圧しようとしても、ヒータ３６は高温になっていないため、テープＴが加熱されることはない。また、空結束が行なわれた場合には、図４に示したスライドテーブル３４は、紙面と直角な水平方向に退避した位置に留まるように構成されているので、空結束により生じたテープ片を容易に取り除くことができる。よって、空結束が行なわれた場合でも、スライドテーブル３４にテープが巻き付いたり、スライドテーブル３４でテープを挟み込んだりすることがない。
【００２７】
以上説明したように、本実施例では、テープＴの引き戻しが完了した時点で、正しく引き戻されたか、あるいは空結束が行なわれたかが判断される。これにより、正しい場合にのみヒータへの通電が行なわれ、空結束の場合には、通電されない。したがって、空結束が行なわれた場合にテープＴがスライドテーブル３４に巻き付いて、テープＴの除去に手間取ることはない。
【００２８】
本実施例では、スライドテーブル３４への巻きつけを防止する上で、別部材が全く不用で、構造も極めて容易である。したがって、コスト的にも安価である。また、タッチローラ８８の設定すべき回転数は一定であるため、繰り返し動作を行ったとしても、安定した動作を行うことができる。
【００２９】
以上、本発明の一実施例について説明したが、本発明は上記実施例に何ら限定されない。
例えば、上記実施例では、一対のローラを正転させるか、逆転させるかにより、テープの供給あるいはテープの引締めを行っているが、これらを別々のローラで独立して行うことも可能である。
【図面の簡単な説明】
【００３０】
【図１】図１は本発明の一実施例による自動テープ掛け機の概略正面図である。
【図２】図２は同実施例による自動テープ掛け機のコントロール部の概略図である。
【図３】図３は同実施例による自動テープ掛け機におけるテープの把持、引戻し、切断、溶着などを行う右押え部材、左押え部材、中押え部材などの正面図である。
【図４】図４は本実施例によるコントロール部によりテープ掛けを行うときの作動断面図である。
【図５】図５は特開２００１−２０６３０８号に開示された自動テープ掛け機の正面図である。
【符号の説明】
【００３１】
２      右押え部材
４      左押え部材
６      中押え部材
２０    自動テープ掛け機
３４    スライドテーブル
３６    ヒータ
４０    カッター
４１    カムシャフト
７４    テープ案内アーチ
９２    テープ供給・引締め手段
Ｔ      テープ
【図１】
2007284076.tif 000003
【図２】
2007284076.tif 000004
【図３】
2007284076.tif 000005
【図４】
2007284076.tif 000006
【図５】
2007284076.tif 000007